(57)【特許請求の範囲】
【請求項１】
人体の一部を覆う覆い体と、
この覆い体の外側に設けられた動物の興味を引く対象部材とを備え、
前記覆い体は、手袋であり、
前記手袋の表側から裏側に至る長手形状のガイド体を前記手袋に設け、
前記ガイド体に跨って案内される被ガイド体を前記対象部材に設け、
前記対象部材は、前記ガイド体を介して移動自在に取り付けられている
ことを特徴とする動物用玩具。
【発明の詳細な説明】
【技術分野】
【０００１】
本発明は、動物用玩具に係り、特に、動物の爪等により人体の一部を保護しながら、動物と一体となってじゃれあうことができる動物用玩具に関する。
【背景技術】
【０００２】
従来、犬や猫等の動物が自分自身で遊び戯れて、楽しむ動物用玩具がある（特許文献１参照）。
この動物用玩具は、取付部材により鴨居等の被取付物に取り付けられ、前記取付部材には長さ調整された弾性・柔軟部材が連結されている。この弾性・柔軟部材の下端部には戯れ対象部材が連結されている。
【先行技術文献】
【特許文献】
【０００３】
【特許文献１】実用新案登録第３０６４８６３号公報
【発明の概要】
【発明が解決しようとする課題】
【０００４】
しかしながら、上述の動物用玩具にあっては、動物が自分自身で遊び戯れて、楽しむため、例えば、飼い主が動物と一緒になって遊び戯れることができず、また、飼い主が動物と一緒になって、例えば、戯れ対象部材を手に持って遊ぼうとすれば、動物の爪等により飼い主の手等を損傷するという問題点が生じた。
【０００５】
本発明は、上記の問題点に基づき、動物の爪等により人体の一部を保護しながら、動物と一体となってじゃれあうことができる動物用玩具を提供することを目的とする。
【課題を解決するための手段】
【０００６】
請求項１記載の動物用玩具は、人体の一部を覆う覆い体と、この覆い体の外側に設けられた動物の興味を引く対象部材とを備え、前記覆い体は、手袋であり、前記手袋の表側から裏側に至る長手形状のガイド体を前記手袋に設け、前記ガイド体に跨って案内される被ガイド体を前記対象部材に設け、前記対象部材は、前記ガイド体を介して移動自在に取り付けられているものである。
【発明の効果】
【００１２】
請求項１記載の動物用玩具によれば、動物の興味を引く対象部材を人体の一部を覆う覆い体の外側に設けたため、動物の爪等により人体の一部を保護しながら、動物と一体となってじゃれあうことができ、また、対象部材は、覆い体に移動自在に取り付けられているため、対象部材が移動できる分、動物の興味をより一層引いて、動物とじゃれあうことができる。
【図面の簡単な説明】
【００１８】
【図１】図１は、本発明の一実施例の動物用玩具の写真である。
【図２】図２は、図１の動物用玩具の覆い体から対象部材が離脱した状態を示している。
【図３】図３は、図１の動物用玩具と異なる他の実施例の動物用玩具を示している。
【図４】図４は、図３の裏面側の動物用玩具を示している。
【図５】図５は、図３の対象部材が移動した状態を示している。
【図６】図６は、図５の対象部材が移動した状態を示している。
【図７】図７は、図５の動物用玩具と異なる他の実施例の動物用玩具を示している。
【図８】図８は、図７の動物用玩具の対象部材が移動した状態を示している。
【図９】図９は、図７の動物用玩具と異なる他の実施例の動物用玩具を示している。
【図１０】図１０は、図９の動物用玩具の覆い体から対象部材が離脱した状態を示している。
【図１１】図１１は、図９の動物用玩具と異なる他の実施例の動物用玩具を示している。
【図１２】図１２は、図１１の動物用玩具のバンドの他端を覆い体に設けた面状ファスナーに係止した状態を示している。
【図１３】図１３は、図１１の動物用玩具と異なる他の実施例の動物用玩具を示している。
【図１４】図１４は、図１３の動物用玩具と異なる他の実施例の動物用玩具を示している。
【図１５】図１５は、図１４の動物用玩具の覆い体から対象部材が離脱した状態を示している。
【図１６】図１６は、図１５を拡大して示したものである。
【図１７】図１７は、図１６の対象部材を示している。
【発明を実施するための形態】
【００１９】
本発明の一実施例の動物用玩具を参照して説明する。
図１に示す１０は、動物用玩具で、動物用玩具１０は、人体の一部を覆う覆い体１１と、この覆い体１１の外側に設けられた動物の興味を引く対象部材１２とを備えた動物用玩具で、動物用玩具１０は、例えば、ねこを対象としたものである。
【００２０】
覆い体１１は、例えば、図１及び図２に示す「少なくとも足指及び足の甲を覆う履き物（例えば、スリッパ）」であり、動物の興味を引く対象部材１２は、例えば、図１及び図２記載の子猫等の小動物を模した形態を有する部材である。
上述した動物用玩具１０を人体の一部、例えば、足に装着して使用すれば、動物の興味を引く対象部材１２を人体の一部を覆う覆い体１１の外側に設けたため、動物の爪等により人体の一部を保護しながら、動物と一体となってじゃれあうことができる。
【００２１】
なお、対象部材１２は、覆い体１１に対して縫製等により固定して取り付けても良いが、望ましくは、対象部材１２は、覆い体１１に着脱自在に取り付けられているのが良い。
これは、対象部材１２が覆い体１１から離脱可能であると、足等を使って、動物と一体となってじゃれあうことができ、しかも、対象部材１２は覆い体１１から離脱可能であると、動物はじゃれ合う際、対象部材１２を獲得でき、動物の興味をより一層引き、更に、対象部材１２は、覆い体１１に着脱自在に取り付けられているため、繰り返し動物とじゃれあうことができるからである。
また、対象部材１２を覆い体１１に着脱する手段としては、例えば、覆い体１１に第１の面状ファスナー１３を取り付け、この第１の面状ファスナー１３に係止する第２の面状ファスナー１４を対象部材１２に取り付けるようにしている。
【００２２】
また、覆い体１１は、上述した「履き物」に限らず、本願発明にあっては、例えば、図３乃至図６に示すような「手を覆う手袋」でも良い。「手を覆う手袋」であれば、「手を覆う手袋」を介して動物の体に触れることができる。
また、動物の興味を引く対象部材１２は、上述した「子猫を模した形態を有する部材」に限らず、本願発明にあっては、例えば、図３乃至図６に示すような「うさぎを模した形態を有する部材」でも良い。
また、対象部材１２は、上述したような「覆い体１１」に着脱自在に取り付けられるようにしたが、本願発明にあっては、例えば、図３乃至図６に示すように対象部材１２が覆い体１１を移動自在に取り付けるようにしても良い。対象部材１２が移動できる分、動物の興味をより一層引いて、動物とじゃれあうことができる。
なお、移動できる手段としては、例えば、覆い体１１の表側１１Ａから裏側１１Ｂに至るガイド体１４を設け、このガイド体１４に案内される被ガイド体１５を設けるようにしている。
【００２３】
また、覆い体１１は、上述した「手を覆う手袋」に限らず、本願発明にあっては、例えば、図７及び図８に示すような「少なくとも手と手首を覆う長手袋」でも良い。
また、動物の興味を引く対象部材１２は、上述した「うさぎを模した形態を有する部材」に限らず、例えば、図７及び図８に示すような「カエルを模した形態を有する部材」でも良い。
また、対象部材１２は、上述したように覆い体１１を移動できる手段として、ガイド体１４、被ガイド体１５を設けるようにしたが、本願発明にあっては、例えば、図７及び図８に示すように紐１６を用いてもよい。
この場合、紐１６の一端を覆い体１１に、紐１６の他端を対象部材１２に、それぞれ縫製等により取り付けるようにしている。
【００２４】
また、動物の興味を引く対象部材１２は、上述した「カエルを模した形態を有する部材」に限らず、本願発明にあっては、例えば、図９及び図１０に示すような「ネズミを模した形態を有する部材」でも良い。
また、対象部材１２は、覆い体１１の長手方向に長い長手形状部１７に取り付けられている。
対象部材１２を覆い体１１の長手方向に長い長手形状部１７に取り付けられていると、動物との距離感をより大きくとって、動物の興味をより一層引いて、動物とじゃれあうことができる。
対象部材１２は、長手形状部１７に着脱自在に取り付けられている。対象部材１２を覆い体１１に着脱する手段としては、図１及び図２と同様、覆い体１１に第１の面状ファスナー１３を取り付け、この第１の面状ファスナー１３に係止する第２の面状ファスナー１４を対象部材１２に取り付けるようにする。
なお、覆い体１１が人体から容易に離脱しないように、図１１及び図１２に示すように締め付けバンド１８を設けても良い。
バンド１８の一端を覆い体１１に縫製等により取り付け、バンド１８の他端を覆い体１１に設けた面状ファスナー１９に係止するようにする。
【００２５】
また、上述した図９及び図１０に示す覆い体１１は「親指指袋１１Ａと、人差指、中指、薬指、小指の指袋１１Ｂの二つの指袋を有するが、本願発明にあっては、これに限らず、例えば、図１３に示すような親指指袋１１ａ、人差指指袋１１ｂ、中指指袋１１ｃ、薬指指袋１１ｄ、小指指袋１１ｅの五つの指袋を有していても良い。
また、動物の興味を引く対象部材１２は、上述した「ねこを模した形態を有する部材」に限らず、例えば、図１３に示すような「リボン」でも良い。
【００２６】
また、上述した覆い体１１は「手袋」に限らず、本願発明にあっては、例えば、足の脚部の一部（ふくらはぎ）を覆う足覆い体、腕の一部を覆う腕覆い体でも良い。
覆い体１１は、例えば、図１４乃至図１６に示すように、筒状の形成され、筒状の一方側と他方側にそれぞれ図示しないゴムでギャザーを寄せ、脚部、腕等に密着して装着するようにしている。
図１４乃至図１６記載の動物用玩具１０の覆い体１１は、筒状に形成されているため、脚部、腕等に装着することができる。
図１４乃至図１６記載の動物用玩具１０は、上述の実施例と同様、覆い体１１に第１の面状ファスナー１３を取り付け、この第１の面状ファスナー１３に係止する第２の面状ファスナー１４を対象部材１２に取り付けるようにしている。
なお、図１４乃至図１６記載の１６’は、紐である。
【００２７】
また、上述した覆い体１１は「足覆い体、腕覆い体」に限らず、本願発明にあっては、例えば、「人体に身につける被服」であっても良い（図１７参照）。
この場合、覆い体１１は人体の一部を覆う被服（図示せず）で、例えば、ズボン、セーター、スポーツウエア等であり、対象部材１２は、覆い体（図示せず）の外側に設けられるよう、例えば、対象部材１２を直接覆い体１１に縫製等により取り付け、対象部材１２を紐１６’を介して覆い体１１に縫製等により取り付けても良いが、望ましくは、面状ファスナー１４’等を介して覆い体１１に設けられるのが良い。
なお、図１７においては、紐１６’を用いたが、本願発明にあっては、これに限らず、紐１６’を省略して、対象部材１２の裏面側に面状ファスナー１４’等を取り付けるようにしても良い。
【符号の説明】
【００２８】
１０      動物用玩具
１１      覆い体
１２      対象部材
【要約】
【課題】
本発明の目的は、動物の爪等により人体の一部を保護しながら、動物と一体となってじゃれあうことができる動物用玩具を提供するものである。
【解決手段】
動物用玩具１０は、人体の一部を覆う覆い体１１と、この覆い体１１の外側に設けられた動物の興味を引く対象部材１２とを備えているものである。
【選択図】図１【図１】
0005567731.tif 000002
【図２】
0005567731.tif 000003
【図３】
0005567731.tif 000004
【図４】
0005567731.tif 000005
【図５】
0005567731.tif 000006
【図６】
0005567731.tif 000007
【図７】
0005567731.tif 000008
【図８】
0005567731.tif 000009
【図９】
0005567731.tif 000010
【図１０】
0005567731.tif 000011
【図１１】
0005567731.tif 000012
【図１２】
0005567731.tif 000013
【図１３】
0005567731.tif 000014
【図１４】
0005567731.tif 000015
【図１５】
0005567731.tif 000016
【図１６】
0005567731.tif 000017
【図１７】
0005567731.tif 000018